(57)【要約】      （修正有）【課題】簡易構成かつ短時間で殺菌できる室内履き殺菌装置を提供する。【解決手段】室内履き殺菌装置１０は、開閉扉と、内部に室内履き１１の収容空間を有する棚本体１２と、棚本体１２内に取り付けて室内履き１１の足入れ部分に向けて波長２５４ｎｍ及び１８５ｎｍ、またはいずれか一方を主波長とする紫外線を照射する紫外線照射部２０と、棚本体１２の内部に過酸化水素水のミストを噴霧する過酸化水素水供給部３０と、過酸化水素水のミストを棚本体１２の内部で循環させる送風部４０と、を備える。【選択図】図１
0003232206.tif 000002
【実用新案登録請求の範囲】
【請求項１】
開閉扉と、内部に室内履きの収容空間を有する棚本体と、
前記棚本体内に取り付けて前記室内履きの足入れ部分に向けて波長２５４ｎｍ及び１８５ｎｍ、またはいずれか一方を主波長とする紫外線を照射する紫外線照射部と、
前記棚本体の収容空間に過酸化水素水のミストを噴霧する過酸化水素水供給部と、
前記過酸化水素水のミストを前記棚本体の収容空間で循環させる送風部と、
を備えたことを特徴とする室内履き殺菌装置。
【請求項２】
請求項１に記載された室内履き殺菌装置であって、
前記過酸化水素水供給部は、前記過酸化水素水のミストを噴霧するノズルを備えたことを特徴とする室内履き殺菌装置。
【考案の詳細な説明】
【技術分野】
【０００１】
本考案は、スリッパなどの室内履きを殺菌消毒する室内履き殺菌装置に関する。
【背景技術】
【０００２】
近年、インフルエンザ、新型コロナウィルス（ＣＯＶＩＤ−１９）などのウィルス感染の拡大を防ぐ手段として、うがい、手洗い、アルコール消毒が有効な手段として慣用化している。日常生活においては、公共施設、病院などを利用する際にスリッパなどの室内履きに履き替える場面が多々ある。不特定多数の人が触れるスリッパはウィルス感染のリスクがある。
従来、紫外線照射によりスリッパを殺菌する装置がある（例えば特許文献１に開示あり）。特許文献１によれば、装置の小型化を図り、全てのスリッパを均等、確実に消毒殺菌することができる。
しかしながら、この装置は部品点数が多く装置がコスト高となり、スリッパが少数の場合には、装置内のガイド機構を移動するのに時間がかかり、このため殺菌消毒に時間がかかるおそれがある。
【先行技術文献】
【特許文献】
【０００３】
【特許文献１】特開２００６−２１０４５号公報
【考案の概要】
【考案が解決しようとする課題】
【０００４】
本考案が解決しようとする課題は、上記従来技術の問題点に鑑み、簡易構成かつ短時間で殺菌できる室内履き殺菌装置を提供することにある。
【課題を解決するための手段】
【０００５】
本考案は、上記課題を解決するための第１の手段として、開閉扉と、内部に室内履きの収容空間を有する棚本体と、
前記棚本体内に取り付けて前記室内履きの足入れ部分に向けて波長２５４ｎｍ及び１８５ｎｍ、またはいずれか一方を主波長とする紫外線を照射する紫外線照射部と、
前記棚本体の収容空間に過酸化水素水のミストを噴霧する過酸化水素水供給部と、
前記過酸化水素水のミストを前記棚本体の収容空間で循環させる送風部と、
を備えたことを特徴とする室内履き殺菌装置を提供することにある。
上記第１の手段によれば、紫外線照射部と過酸化水素水供給部を備えた棚本体の簡易な構成で室内履きを短時間で殺菌消毒することができる。また室内履きを保管する靴箱として利用できる。
【０００６】
本考案は、上記課題を解決するための第２の手段として、第１の手段において、前記過酸化水素水供給部は、前記過酸化水素水のミストを噴霧するノズルを備えたことを特徴とする室内履き殺菌装置を提供することにある。
上記第２の手段によれば、室内履きを濡らすことなく殺菌消毒することができる。また室内履きの紫外線が届かない箇所を殺菌消毒することができる。
【考案の効果】
【０００７】
本考案によれば、室内履きを簡易構成かつ短時間で殺菌消毒することができる。
【図面の簡単な説明】
【０００８】
【図１】本考案の室内履き殺菌装置の正面図である。
【図２】本考案の室内履き殺菌装置の右斜め上方から見た斜視図である。
【図３】本考案の室内履き殺菌装置の左斜め下から見た斜視図である。
【考案を実施するための形態】
【０００９】
本考案の室内履き殺菌装置の実施形態について、図面を参照しながら、以下詳細に説明する。本考案の殺菌対象となる室内履きは、室内で履くスリッパ、上履き、室内シューズ、ルームシューズ、サンダルなどである。
【００１０】
［上履き殺菌装置１０］
図１は本考案の室内履き殺菌装置の正面図である。図２は本考案の室内履き殺菌装置の右斜め上方から見た斜視図であり、（Ａ）は開閉扉を開けた状態、（Ｂ）は開閉扉を閉じた状態を示す。図３は本考案の室内履き殺菌装置の左斜め下から見た斜視図である。
本考案の室内履き殺菌装置１０は、開閉扉１４と、内部に室内履き１１の収容空間を有する棚本体１２と、前記棚本体１２内に取り付けて前記室内履き１１の足入れ部分に向けて波長２５４ｎｍ及び１８５ｎｍ、またはいずれか一方を主波長とする紫外線を照射する紫外線照射部２０と、前記棚本体１２の収容空間に過酸化水素水のミストを噴霧する過酸化水素水供給部３０と、前記過酸化水素水のミストを前記棚本体１２の収容空間で循環させる送風部４０と、を備えている。
【００１１】
棚本体１２は、正面に取っ手付きの開閉扉１４と、内部に複数の室内履き１１を収納できる棚を複数段形成した収容空間を有し、所定強度を備えたアルミ、ステンレス等の金属製の部材を用いて形成したケーシングである。図１に示す棚本体１２は、６足の室内履き１１を収容できる４段の網棚１６を設け、網棚１６上に脚入れ部分が奥に向くように室内履き１１を配置している。開閉扉１４は一部ガラスを採用して内部が視認できるようにしている。
紫外線照射部２０は、波長２５４ｎｍ及び１８５ｎｍ、またはいずれか一方を主波長とする紫外線を室内履き１１の足入れ部分に向けて照射するランプであり、本実施形態では、一例として棚本体１２の正面と対向する内部面であって、複数の網棚１６の間に配置するスパイラルランプである（図１参照）。紫外線照射部２０は波長２５４ｎｍ、線量２５〜４０ｍＪ／ｃｍ２とする紫外線を十数秒照射することにより細菌細胞破壊及びウィルスのＲＮＡ塩基鎖を断裂破壊して殺菌でき、例えば、細菌ウィルスを９９．９９９％の不活性化を実現できる。また紫外線照射部２０は、波長１８５ｎｍの紫外線により１．５ｐｐｍ以下の微量のオゾンを生成している。生成したオゾンは室内履き１１の殺菌消毒及び脱臭効果がある。
なお紫外線照射部２０は、十数秒紫外線を照射するだけで殺菌消毒と脱臭が完了する。網棚１６の構造により網目越しから室内履き１１へ紫外線を照射できる。照射した後は自動的に照射停止するように制御されている。また開閉扉１４を開けたときには、紫外線照射を停止するスイッチを設けている。このため、使用者に向けて紫外線が照射されることがない。また紫外線照射部２０は、波長２５４ｎｍ及び１８５ｎｍのうちいずれか１の波長を照射する構成であっても良い。
【００１２】
過酸化水素水供給部３０は、ノズル３２と、貯蔵タンク３４と、配管３６、供給ポンプ（不図示）からなる。ノズル３２は棚本体１２内部の上面に設けている。貯蔵タンク３４は棚本体１２内部の右上方の仕切り板１８で囲った箇所に配置している。配管３６は一端がノズル３２に接続し、他端が貯蔵タンク３４に接続して棚本体１２の内面に沿って配置している。貯蔵タンク３４には水溶液６％〜１０％濃度の過酸化水素水を貯蔵している。ノズル３２は液体の過酸化水素水を粒径が数μｍのミストを１殺菌工程当たり５ｃｃほど噴霧できるように設定している。棚本体１２内部で散布されたミスト状の過酸化水素水は、波長２５４ｎｍの紫外線によって反応してヒドロキシラジカル、スーパーオキシドアニオンなどが生成されて酸化殺菌する作用を有する。なお過酸化水素水供給部３０は、その他の殺菌溶液、例えば次亜塩素酸水等を用いることもできる。
送風部４０は、棚本体１２内部に取り付けて、ミスト状の過酸化水素水を循環させる送風ファンである。本実施形態の送風部４０は、棚本体１２内部の正面視で対角線上となる位置に配置して図１中の矢印ａに示す方向に送風してミスト状の過酸化水素水を循環させている。
【００１３】
［上履き殺菌方法］
上記構成による本考案の室内履き殺菌装置１０の作用について以下説明する。
使用した室内履き１１を棚本体１２の空いている網棚１６上に配置する。開閉扉１４を閉じた後、殺菌工程が開始される。紫外線照射部２０により波長２５４ｎｍを主波長とし、線量２５〜４０ｍＪ／ｃｍ２とする紫外線が室内履き１１の足入れ部分に向けて照射される。紫外線照射部２０の波長１８５ｎｍを主波長とする紫外線により１．５ｐｐｍ以下の微量のオゾンを生成している。生成したオゾンは、空気中に浮遊する塵、毛髪などからの病原体の増殖を阻害して、室内履き１１の殺菌消毒及び脱臭効果がある。
また棚本体１２内部上方のノズル３２から数μｍの過酸化水素水のミストが噴霧される。送風部４０によってミストが収容空間内で循環される。
このような棚本体１２内では紫外線照射部２０によって室内履きの足入れ部分の殺菌消毒が行われる。また、紫外線が照射されない箇所は、収容空間内を循環する数μｍの過酸化水素水のミストが接触して殺菌することができる。ミスト状の過酸化水素水は紫外線照射によってヒドロキシラジカル、スーパーオキシドアニオンなどが生成されて酸化殺菌できる効果も有する。
通常、数μｍの過酸化水素水が室内履きに付着しても濡れることはない。仮に濡れたとしても紫外線照射部２０からの紫外線と共に管面からの発熱（４０度前後）によって室内履きに付着したミスト状の過酸化水素水は、殺菌工程後に乾燥できる。
本考案の室内履き殺菌装置は、室内履きを棚本体に配置した後、紫外線照射と過酸化水素水噴霧によって、わずか十数秒で殺菌消毒することができる。また、消毒後はそのまま靴箱として保管して殺菌状態を維持できる。
【００１４】
このような本考案によれば、紫外線照射部と過酸化水素水供給部を備えた棚本体に室内履きを配置するだけの簡易な構成かつ短時間で殺菌消毒することができる。また室内履きを保管する靴箱として利用できる。
さらに室内履きを濡らすことなく殺菌消毒することができる。また室内履きの紫外線が届かない箇所を殺菌消毒することができる。
以上、本考案の好ましい実施形態について説明した。しかしながら、本考案は、上記実施形態に何ら制限されることなく、本考案の主旨を逸脱しない範囲において、種々の変更が可能である。
また、本考案は、実施形態において示された組み合わせに限定されることなく、種々の組み合わせによって実施可能である。
【符号の説明】
【００１５】
１０  室内履き殺菌装置
１１  室内履き
１２  棚本体
１４  開閉扉
１６  網棚
１８  仕切り板
２０  紫外線照射部
３０  過酸化水素水供給部
３２  ノズル
３４  貯蔵タンク
３６  配管
４０  送風部
【図１】
0003232206.tif 000003
【図２】
0003232206.tif 000004
【図３】
0003232206.tif 000005